(57)【要約】【課題】  簡単、迅速に設置して一人でブレーキランプを点検でき、またブレーキランプの点検に止まらず、点検時以外にも利用でき、商品価値の高い、使い勝手の良いブレーキランプの点検器具を提供する。【解決手段】  棒状に形成した本体部１の一端１ａをブレーキペダル２に突き当て、他端１ｂ寄りの位置をダッシュボード３に係止して突っ支い棒状に配置する。上記の本体部１の他端１ｂ側を、握り部４に形成する。この握り部４を介して本体部１の他端１ｂ寄りの位置に、ダッシュボード３との係止部５を、本体部１の長手方向と直交する方向に突き出させて、且つ本体部１の長手方向に沿って摺動して位置が調節自在になるよう設ける。【選択図】      図１
2006290173.tif 000002
【特許請求の範囲】
【請求項１】
棒状に形成された本体部の一端がブレーキペダルに突き当てられ、他端寄りの位置がダッシュボードに係止されて突っ支い棒状に配置されるブレーキランプの点検器具であって、上記の本体部の他端側が握り部に形成され、この握り部を介して本体部の他端寄りの位置に、ダッシュボードとの係止部が、本体部の長手方向と直交する方向に突き出されて、且つ本体部の長手方向に沿って摺動し位置が調節自在に設けられていることを特徴とするブレーキランプの点検器具。
【請求項２】
請求項１記載のブレーキランプの点検器具であって、係止部が、握り部の側に板面を向けて板片状に形成されていることを特徴とするブレーキランプの点検器具。
【請求項３】
請求項１又は２記載のブレーキランプの点検器具であって、握り部と係止部との境に、握り部を持つ手を保護するための鍔が設けられていることを特徴とするブレーキランプの点検器具。
【請求項４】
請求項１乃至３の何れかに記載のブレーキランプの点検器具であって、本体部の周面が、長手方向にわたって発光状に形成されていることを特徴とするブレーキランプの点検器具。
【発明の詳細な説明】
【技術分野】
【０００１】
本発明はブレーキランプの点検器具に関し、更に詳しくは自動車やトラック等の車両のブレーキランプを、一人で確認できるよう形成したブレーキランプの点検器具に関するものである。
【背景技術】
【０００２】
従来この種の点検器具としては、例えば伸縮可能な構造である伸縮棒部の上端にハンドル装着部を設けると共に、上記の伸縮棒部に伸縮状態を固定するロック機構部を付設しているものがある（例えば特許文献１参照）。
【０００３】
而して従来品は、上記の通り、上端をハンドルに固定するものであったから、全体の寸法が長くなるのを避けられなかっただけではなく、上端にハンドルとの固定構造を設ける必要があった。従って従来品によると、コストが高く付き、また長さの調節操作と共に、ハンドルに上端を取り付けるための操作が必要になり、設置操作が煩わしい、という問題点があった。
また従来品は、ブレーキランプの点検の用途に止まり、単機能であったから、これによるとブレーキランプの点検時以外のときに使い道がない、という問題点があった。従って従来品の場合は、商品としての魅力に欠け、交通安全に役立つ機能を持ちながら、ドライバーの購買意欲を喚起できなかったものである。
【特許文献１】特開２００２−２２５６８５号公報
【発明の開示】
【発明が解決しようとする課題】
【０００４】
本発明は、このような従来技術の問題点に鑑み、提案されたものである。
従って本発明の解決しようとする技術的課題は、簡単、迅速に設置して一人でブレーキランプを点検でき、またブレーキランプの点検に止まらず、点検時以外にも利用でき、商品価値の高い、使い勝手の良いブレーキランプの点検器具を提供することにある。
【課題を解決するための手段】
【０００５】
本発明は、上記の課題を解決するため、次のような技術的手段を採る。
即ち本発明は、図１等に示されるように、棒状に形成された本体部１の一端１ａがブレーキペダル２に突き当てられ、他端１ｂ寄りの位置がダッシュボード３に係止されて突っ支い棒状に配置されるブレーキランプの点検器具であって、上記の本体部１の他端１ｂ側が握り部４に形成され、この握り部４を介して本体部１の他端１ｂ寄りの位置に、ダッシュボード３との係止部５が、本体部１の長手方向と直交する方向に突き出されて、且つ本体部１の長手方向に沿って摺動し、位置が調節自在に設けられていることを特徴とする（請求項１）。
【０００６】
本発明の場合、係止部５は、例えば本体部１に嵌挿されるリング状の基部５１と、この基部５１を本体部１の外周面に締め付けて固定するための例えば蝶ネジ等の止め具５２とを備えて形成することにより実現される。本体部１や係止部５の材質は、例えばプラスチックや、鉄、アルミ等の鋼材、或いは木材等、任意である。また本体部１の形状は、通常、係止部５を摺動し易く、取り扱いが容易なことから、断面円形の丸棒や円筒（円管）状に形成されるのが好ましいが、これに限定されるものではない。
【０００７】
また本発明は、係止部５が、握り部４の側に板面５ａを向けて板片状に形成されているのが好ましい（請求項２）。
なぜならこれによると、係止部５がダッシュボード３にフィットし易くなり、取り付け姿勢が安定し、確実に設置できるからである。
【０００８】
また請求項１又は２記載の本発明は、握り部４と係止部５との境に、握り部４を持つ手を保護するための鍔７が設けられているのが好ましい（請求項３）。
なぜならこれによると、警棒として使用するとき、鍔７で手を保護でき、手を怪我することを防止できるからである。鍔７の外形状は、円形、方形等任意である。円形の場合は、本体部１と同心状に設けられる。またこの鍔７は、本発明品を設置するときに、支障とならないよう、例えば半円形や長方形等に形成され、ダッシュボード３に線状に接する線状接触部７ａを有して形成されているのが良い。この線状接触部７ａは、直線状又は湾曲面状に形成される。
【０００９】
また本発明は、本体部１の周面が、長手方向にわたって発光状に形成されているのが好ましい（請求項４）。
なぜならこれによると、例えば夜間、本発明品を振って後続車や対向車のドライバーや通行人等に非常事態、緊急事態を警告でき、交通安全に、一層、役立つからである。この本発明品は、具体的には本体部１に夜光塗料を塗ったり、夜光テープを巻いたり、或いは透光状の本体部１内に、ＬＥＤ等の光源と乾電池を設け、光源を発光させることにより実現される。
【発明の効果】
【００１０】
本発明は、このように形成されているから、係止部を長手方向に沿って移動させ、ダッシュボードの下側などの適宜位置に係止させ、ブレーキペダルの復元力でブレーキペダルとダッシュボードとの間に突っ支い棒状に配置することにより、一人でブレーキランプを簡単に点検できる。
また本発明品は、係止部を本体部に沿ってスライドさせ、その位置を調整することで、直ぐにブレーキペダルとダッシュボードとの間に突っ支い棒状に設置できる。即ち本発明品は、従来品のように本体部を伸縮させて長さを調節してから、ハンドルに上端を固定する、という煩わしい操作を必要としないから、これによれば簡単、迅速に設置でき、使い勝手が良くなるものである。
また本発明は、握り部を有して形成されている。従ってこれによれば、警棒や、また緊急時の警告棒として使用することができ、ブレーキランプの点検時以外のときにも利用が可能になる。
【発明を実施するための最良の形態】
【００１１】
以下、本発明を実施するための最良の形態を説明する。
本発明品は、図１等に示されるように、棒状に形成された本体部１の一端１ａがブレーキペダル２に突き当てられ、他端１ｂ寄りの位置がダッシュボード３に係止されて突っ支い棒状に配置されるブレーキランプの点検器具である。本体部１は、プラスチックで円筒（円管）状に形成されている。また本体部１の周面は、長手方向にわたって夜光塗料が塗られ、発光状に形成されている。そしてこの本体部１の他端１ｂ側は、握り部４に形成されている。なお本体部１の一端１ａの端面には、図２、図３等に示されるように、ゴム等の弾性材で形成された滑り止め用の突起１ｃが複数設けられている。
【００１２】
５は、ダッシュボード３との係止部である。この係止部５は、握り部４を介して本体部１の他端１ｂ寄りの位置に、本体部１の長手方向と直交する方向に突き出されて、且つ本体部１の長手方向に沿って摺動し、位置が調節自在に設けられている。
【００１３】
この実施形態に係る本発明の場合、上記の係止部５は、図２等に示されるように、握り部４の側に板面５ａを向けて板片状に形成されると共に、先端寄りの部分５ｂが握り部４の側に傾斜されている。またこの係止部５は、この実施形態では本体部１に嵌挿されているリング状の基部５１と、この基部５１を本体部１の外周面に締め付けて固定するための例えば蝶ネジ等の止め具５２とを備えて形成されている。６は、止め具５２としての蝶ネジの先端が係合する溝である。この溝６は、本体部１の外周面に、本体部１の長手方向に延びて直線状に形成されている。係止部５は、止め具５２としての蝶ネジを緩めることにより、基部５１と一緒に本体部１に沿って摺動が可能になり、蝶ネジが締め付けられることにより、任意の位置に固定される。なお係止部５の材質は、この実施形態ではプラスチックである。
【００１４】
また７は、握り部４を持つ手を保護するための鍔である。この鍔７は、握り部４と係止部５との境に設けられている。鍔７は、ダッシュボード３に線状に接する線状接触部７ａを有して略半円形に形成され、本体部１と同心状に設けられている（図４、図５等参照）。
【００１５】
次に本発明品の作用を説明する。
先ず使用者は、ブレーキペダル２とダッシュボード３の係止箇所との間隔に合わせ、係止部５がダッシュボード３の例えば下面に係止可能になるよう、止め具５２としての蝶ネジを緩めて基部５１を長手方向に沿ってずらせ、その後、止め具５２を締め直して係止部５の位置を調節する。そして一端１ａをブレーキペダル２に当てがい、ブレーキペダル２の復元力に抗して押し下げ、係止部５をダッシュボード３の下面に係止させる。これにより本発明品は、ブレーキペダル２の復元力により、ブレーキペダル２とダッシュボード３との間に突っ支い棒状に設置される。なおこの実施形態に係る本発明品では、鍔７が線状接触部７ａを有して形成されているため、この線状接触部７ａをダッシュボード３の前面にあてがって設置する。
【００１６】
而して本発明品を設置した後、ドライバーは、車両の後ろに回り、ブレーキランプの点灯を確認し、ブレーキランプが切れていないか点検する。
また本発明品は、図８に示されるように、握り部４を持って警棒として使用する。この場合、握り部４の先に鍔７があるため、この鍔７によってドライバーは手元を保護できる。またドライバーは、例えば交通事故のときなど、非常時、緊急時は握り部４を持って振り、対向車両や後続車両のドライバーや通行人等に危険を知らせたり、注意を喚起させる警告棒として使用する。
【００１７】
以上の処において、本発明の場合、上記係止部５の位置の調節構造は任意である。上例以外の構造としては、例えば本体部１にコイルバネを収納すると共に、本体部１の長手方向に沿ってスリットを形成し、このスリットを介して係止部５を本体部１の外面に露出させ、スリットの長手方向に沿って一定の間隔をあけて多段階状に係合用の切り欠きを複数形成し、コイルバネの弾発力に抗して係止部５を本体部１の長手方向に沿って移動させ、任意の切り欠きに係止部５を係合させることにより、位置を調節する方法がある。
【図面の簡単な説明】
【００１８】
【図１】本発明の点検器具の好適な一実施形態を示す使用状態時の斜視図である。
【図２】同上点検器具の一部を切欠した左側面図である。
【図３】同上点検器具の一部を切欠した正面図である。
【図４】同上点検器具の平面図である。
【図５】同上点検器具の底面図である。
【図６】同上点検器具の要部左側面図である。
【図７】同上点検器具の使用状態時の要部左側面図である。
【図８】同上点検器具を把持した時の斜視図である。
【符号の説明】
【００１９】
１      本体部
１ａ    一端
１ｂ    他端
１ｃ    突起
２      ブレーキペダル
３      ダッシュボード
４      握り部
５      係止部
５ａ    板面
５ｂ    先端寄りの部分
５１    基部
５２    止め具
６      溝
７      鍔
７ａ    線状接触部
【図１】
2006290173.tif 000003
【図２】
2006290173.tif 000004
【図３】
2006290173.tif 000005
【図４】
2006290173.tif 000006
【図５】
2006290173.tif 000007
【図６】
2006290173.tif 000008
【図７】
2006290173.tif 000009
【図８】
2006290173.tif 000010